(57)【特許請求の範囲】
【請求項１】
複数の耕作区に区分された水田の用水管理システムであって、少なくとも給水パイプと水位調整パイプとを耕作区の一側面に埋設し、給水パイプには各耕作区に用水を供給する給水弁を備え、また水位調整パイプには各耕作区の田面水位を一定に維持するための水位設定器を備えたことを特徴とする水田の用水管理システム。
【請求項２】
複数の耕作区に区分された水田の用水管理システムであって、少なくとも給水パイプと排水パイプとを耕作区の一側面に埋設し、給水パイプには各耕作区に用水を供給する給水弁を備え、また排水パイプには各耕作区の余剰水を排出する排水弁を備えたことを特徴とする水田の用水管理システム。
【請求項３】
給水弁は、垂直に立ち上る外筒と、該外筒の内側に上下方向に移動自在に垂設されてその下端部が給水パイプと接続した内筒とからなり、該内筒の上端からオーバーフローした用水が外筒の中間に突出して設けられた分岐部から各耕作区に給水されるようにしたことを特徴とする請求項１または２記載の水田の用水管理システム。
【請求項４】
水位設定器は、垂直に立ち上る外筒と、該外筒の内側に上下方向に移動自在に垂設されてその下端部が下流側の水位調整パイプと接続した内筒とからなり、外筒の中間位置に突出して設けられた分岐部に上流側の水位設定パイプと、各耕作区に連通する給水パイプとが接続されており、分岐部から外筒に流入した用水が内筒の上端からオーバーフローして筒内に流入し、下流側の水位設定パイプに排出されるようにしたことを特徴とする請求項１記載の水田の用水管理システム。
【請求項５】
排水弁は、垂直に立ち上る外筒と、該外筒の内側に上下方向に移動可自在に垂設されてその下端部が排水パイプと接続した内筒とからなり、外筒の中間位置に突出して設けられた分岐部から外筒内に流入した用水が内筒の上端からオーバーフローして筒内に流入し、排水パイプに排出されるようにしたことを特徴とする請求項２記載の水田の用水管理システム。
【発明の詳細な説明】
【０００１】
【発明の属する技術分野】
本発明は、水田に対する灌漑用水の供給及び排出を自動的に管理を行う用水管理システムに関する。更に詳しくは、必要最小限の用水を各耕作区に供給することによって、水田全体に亘って万遍なく用水が供給できると共に、各耕作区の水位を常に一定に維持できる水田の用水管理システムに関する。
【０００２】
【従来の技術】
図１１は従来の水田構造を示す概略平面図であって、河川１を流れる水は水路２から上流側の幹線給水路３に導かれて水田４に供給されるようになっている。水田４は畦畔４１によって複数の耕作区４２に区分されており、長手方向に延びる農道４０の側方には、それぞれ耕作区４２に沿って開放型の給水路３１が設けられている。
給水路３１の上流側は前記幹線給水路３と接続されており、各耕作区４２に面した給水路３１の側壁には給水口３１１が設けられている。図１２に示した如く、用水は各給水口３１１から各耕作区４２に供給されるようになっている。
【０００３】
また、前記給水路３１の反対側に位置する水田４，４の間には、開放型の排水路３２が設けられている。
各耕作区４２に面した排水路３２の排水口には水位設定器４３が設けられており、当該設定器４３の高さ調整を行うことによって、それぞれの耕作区４２の田面水位を一定の高さに維持できるようになっている。
排水路３２の下流側は幹線排水路３３と接続しており、排水路３２に放出された余剰の用水は水路３４から河川１に還流されるようになっている。
【０００４】
【発明が解決しようとする課題】
ところで、この水田構造では、給水路３１を流れる用水は、給水路３１の上流側に位置する供給口３１１から耕作区４２に流入する。そして、耕作区４２に供給された用水は水位設定器４３によって一定の水位に維持されると共に、余剰の用水が排水路３２に排出される。
この様にして、上流側から下流側の耕作区４２に向かって用水が順次供給されていくため、下流側の耕作区４２ほど用水の供給が不足がちとなる。特に、日照りが続く旱魃期には、下流側の耕作区４２に殆ど用水が供給されなくなり、稲の生育不良によって収穫料が減少するということがあった。
【０００５】
また、各水路が開放型となった従来の水田構造では、給水路３１や排水路３２の占有幅だけ耕作区４２や農道４０のスペースが狭くなるため、農地を有効利用できないという問題もあった。
更には、上方が解放した各水路には、土砂等が落下して堆積し易いため、土砂等の排出作業が頻繁に行なわなければならず、水路管理が煩わしいという問題もあった。
【０００６】
【課題を解決する手段】
本発明は、上記問題を解決した水田の用水管理システムを提供しようとするもので、その要旨は、（１）複数の耕作区に区分された水田の用水管理システムであって、少なくとも給水パイプと水位調整パイプとを耕作区の一側面に埋設し、給水パイプには各耕作区に用水を供給する給水弁を備え、また水位調整パイプには各耕作区の田面水位を一定に維持するための水位設定器を備えたことを特徴とする水田の用水管理システムである。
（２）複数の耕作区に区分された水田の用水管理システムであって、少なくとも給水パイプと排水パイプとを耕作区の一側面に埋設し、給水パイプには各耕作区に用水を供給する給水弁を備え、また排水パイプには各耕作区の余剰水を排出する排水弁を備えたことを特徴とする水田の用水管理システムである。
（３）給水弁は、垂直に立ち上る外筒と、該外筒の内側に上下方向に移動自在に垂設されてその下端部が給水パイプと接続した内筒とからなり、該内筒の上端からオーバーフローした用水が外筒の中間に突出して設けられた分岐部から各耕作区に給水されるようにしたことを特徴とする上記（１）または（２）の水田の用水管理システムである。
（４）水位設定器は、垂直に立ち上る外筒と、該外筒の内側に上下方向に移動自在に垂設されてその下端部が下流側の水位調整パイプと接続した内筒とからなり、外筒の中間位置に突出して設けられた分岐部に上流側の水位設定パイプと、各耕作区に連通する給水パイプとが接続されており、分岐部から外筒に流入した用水が内筒の上端からオーバーフローして筒内に流入し、下流側の水位設定パイプに排出されるようにしたことを特徴とする上記（１）の水田の用水管理システムである。
（５）排水弁は、垂直に立ち上る外筒と、該外筒の内側に上下方向に移動自在に垂設されてその下端部が排水パイプと接続した内筒とからなり、外筒の中間位置に突出して設けられた分岐部から外筒内に流入した用水が内筒の上端からオーバーフローして筒内に流入し、排水パイプに排出されるようにしたことを特徴とする上記（２）の水田の用水管理システムである。
【０００７】
【発明の実施の形態】
以下、本発明の実施の形態を図面に基づいて詳細に説明する。
図１は本発明の水田の用水管理システムの実施の形態の一例を示す概略平面図、図２は一区画の用水管理に用いられる給水弁と、水位設定器と、排水弁の配管概略図である。
水田４の内部は短手方向に延びる畦畔４１によって複数の耕作区４２に区分されている。各耕作区４２は、例えば長辺が１００〜２００ｍ程度、短辺が３０〜１００ｍ程度の長方形に区分され、ほぼ平坦に整地されている。
【０００８】
また、水田４の側方には、その長手方向に沿って農道５が設けられている。農道５の上面は、その中央部が従来の農道とほぼ同じ幅寸法の平坦面に形成されており、この平坦面の片側または両側に、水田４側に向かって下がり勾配となった傾斜面５１が形成されている。
傾斜面５１は、従来の農道に沿って設けられていた用水路や排水路を撤去して埋め戻しを行った部分である。このため、農道５は従来の農道よりもかなり広幅になっており、トラクター等を旋回させて方向変更したり、農道５の片方を駐車スペースとして利用できるようになっている。
【０００９】
図１の右側に示した一方の農道には、その傾斜面５１の下方に給水パイプ６Ａと、水位調整パイプ６Ｂと、排水パイプの三本のパイプが埋設されている。また、各耕作区４２と対応したそれぞれの位置には、給水弁７Ａ、水位設定器７Ｂ、排水弁７Ｃとが設置されている。そして、各給水弁７Ａは給水パイプ６Ａと、各水位設定器７Ｂは水位調整パイプ６Ｂと、各排水弁７Ｃは排水パイプ６Ｃと、それぞれ接続されている。
【００１０】
図１の左側に示した農道５、即ち水田４、４によって挟まれた農道５
には、中央に給水パイプ６Ａと排水パイプ６Ｃが一本ずつ埋設されており、その両側に水位調整パイプ６Ｂが一本ずつ埋設されている。農道５の両側に位置する各耕作区４２の側縁には、給水弁７Ａと水位設定器７Ｂと、排水弁７Ｃとが設置されている。そして、各給水弁７Ａは給水パイプ６Ａと、各排水弁７Ｃは排水パイプ６Ｃとそれぞれ接続されており、各水位調整器７Ｂは最寄りの水位調整パイプ６Ｂと接続されている。
【００１１】
各給水パイプ６Ａの上流側は幹線給水路３ａに接続されており、その下流側は幹線排水路３ｂに接続している。
また、各水位調整パイプ６Ｂと、各排水パイプ６Ｃの上流側は、最も上手の耕作区４２に設置された水位設定器７Ｂと、排水弁７Ｃとに接続されており、それぞれのパイプ６Ｂ、６Ｃの下流側は幹線排水路３ｂと接続している。尚、図示されていないが、幹線給水路３ａには河川から水を引き込むための水路が接続されており、また幹線排水路３ｂに放出された用水や雨水は河川に還流されるようになっている。
【００１２】
上記の実施例においては、各耕作区４２の一側面に給水パイプ６Ａと、水位調整パイプ６Ｂと、排水パイプ６Ｃの三本のパイプを埋設したものについて詳述したが、この例に限らず当該三本のパイプ内で、少なくとも給水パイプ６Ａと水位調整パイプ６Ｂとの二本のパイプを埋設するか、或いは給水パイプ６Ａと排水パイプ６Ｃとの二本を埋設した装置であっても、本発明の用水管理システムの主要機能は十分達成される。
【００１３】
図３は給水弁の断面図であり、給水弁７Ａは、垂直状態になった円筒状の外筒７１を有している。外筒７１の側壁の中間位置には水平方向に突出する分岐部７２が設けられており、当該分岐部７２から耕作区４２に用水が供給されるようになっている。
【００１４】
また、外筒７１の側面の中間位置には、図４に示した如く、前期分岐部７２とほぼ同じ高さで、９０度ずれた位置に分岐部７２ａが水平方向に突出して設けられている。給水弁７Ａの分岐部７２ａには、パイプ７９を介して隣接する水位設定器７Ｂが接続されている（図２及び図７参照）。
【００１５】
外筒７１の下端には、継手部７３が一体に接続されている。この継手部７３は、下側になるにつれて順次縮径した円錐台上になっており、その下端部に支持筒７４の下端部が嵌挿されて同芯状に支持されている。支持筒７４は継手部７３に固定されて上方に立ち上げられており、その上端部は分岐部７２、７２ａとほぼ同じ高さに設定されている。
【００１６】
支持筒７４には、連結管部７５が嵌挿されて同芯状に支持されている。この連結管部７５の下端部は、支持筒７４から下方に延出した状態になっており、その下端部に曲管継手６１が接続している。また曲管継手６１は略Ｓ字状に屈曲し、その他端部が給水パイプ６Ａと接続している。
【００１７】
図５は図３におけるＳ部の拡大断面図であって、支持筒７４の上端部にはリング状のシール部材７６が嵌合されている。このシール部材７６は、支持筒７４の上端面を覆った状態で、当該支持筒７４の上端部に固定されている。
シール部材７６の外周にはフランジ状の鍔７６ａが設けられており、当該鍔７６ａ上にシールリング７６ｂが装着されている。シールリング７６ｂは外筒７１の内周面と緊密に密着嵌合して、外筒７１と支持筒７４との間を水密的にシールしている。
【００１８】
支持筒７４内に嵌挿された連結管部７５の上端部は、支持筒７４の上端近傍に位置しており、その外周面に設けられた環状凹溝にＯリング７５ｂが装着されている。Ｏリング７５ｂは支持筒７４の内周面と緊密に密着嵌合して、支持筒７４と連結管部７５との間を水密的にシールしている。
【００１９】
支持筒７４の上端部に固定されたシール部材７６の内周部には、内筒７７が同芯状、かつ上下方向にスライド自在に支持されている。内筒７７の上端及び下端はそれぞれ開放された状態となっており、その外周面がシール部材７６によって水密的にシールされている。
【００２０】
内筒７７の内面には、操作ロッド７８の下端部が垂直状態に取り付けられてる。内筒７７から上方に立ち上がる操作ロッド７８の上部は、外筒７１の上部から突出して支持されており、その上端部にハンドルが設けられている
【００２１】
前記外筒７１の上部片側には、開口部が設けられている。この開口部から外筒７１の内部を見通せるようになっており、内筒７７の上端からオーバーフローした用水が耕作区４２に供給される様子を農作業者が目で確認できるようになっている。
【００２２】
また、給水管６Ａと給水弁７Ａとを連結する曲管継手６１には、ゲートバルブ８が設けられている。当該ゲートバルブ８を構成するハウジング８３内には楔状のゲート８１が上下方向にスライド自在に配設されている。
ゲート８１には上方に立ち上がるシャフト８２の下端部が接続しており、当該シャフト８２は筒体８４によって保護されている。
【００２３】
ゲートバルブ８は地上から操作できるようになっており、シャフト８２を下げてゲート８１で曲管継手６１の通路を遮断したとき、給水管６Ａから給水弁７Ａへの用水の通路が遮断される。
また、ゲート８１を引き上げて曲管継手６１の通路を開放すると給水管６Ａから給水弁７Ａに用水が流れ、各耕作区４２に用水が供給されようになっている。
【００２４】
このような構成からなる給水弁７Ａとゲートバルブ８とが、各耕作区４２に面した農道５の傾斜面５１に垂直状態で埋設されている。これと同様に、農道の傾斜面５１には水位設定器７Ｂと排水弁７Ｃとが垂直状態で埋設されている。
【００２５】
図６は水位設定器７Ｂの断面図であって、前述した給水弁７Ａとほぼ同様な構成からなっている。図中の同符号は同意義を有するので、その説明は省略する。給水弁７Ａと相違する点のみを説明すると、外筒７１の側壁の中間位置には分岐部７２ｂが突出して設けられており、当該分岐部７２ｂに水位調整パイプ６Ｂの上流側と、給水弁７Ａとが接続されている。
【００２６】
図２及び図７に示した如く、水位設定器７Ｂの分岐部７２ｂは、パイプ６３を介して水位調整パイプ６Ｂの上流側に接続されると共に、パイプ７９を介して給水弁７Ａに接続されている。また、外筒７１の下端部から突出した連結管部７５の下端部は、継手６２を介して水位調整パイプ６Ｂの下流側に接続されている。
【００２７】
水位設定器７Ｂの外筒７１の上部片側は、半円筒状に切り欠かれており、この切り欠き部から外筒７１の内側を見通せるようになっている。外筒７１の内側上部には、上下方向に目盛り７１１が設けられており、当該目盛り７１１と対応する操作ロッド７８の適所に指針７８１が取り付けられている。
農作業者が操作ロッド７８を上下に移動させて指針７８１を目盛り７１１に合わせたとき、目盛り７１１で表示される高さ位置に内筒７７の上端面の高さが設定されるようになっている。
【００２８】
図８は排水弁７Ｃの断面図であって、当該排水弁７Ｃは農道５の傾斜面５１に垂直状に埋設されている。排水弁７Ｃは、前述した水位設定器７Ｂとほぼ同様な構成からなっており、図中の同符号は同意義を有するので、その説明は省略する。
この排水弁７Ｃの場合には、外筒７１の側壁の中間位置に分岐部７２ｃが突出して設けられている。
耕作区４２に供給された余剰の用水は排水弁７Ｃの分岐部７２ｃに還流するようになっており、連結管部７５の下端部は継手６４を介して排水パイプ６Ｃに接続している。
【００２９】
この排水弁７Ｃの場合にも、外筒７１の内側上部には、上下方向に目盛り７１１が設けられており、当該目盛り７１１と対応する操作ロッド７８の適所に指針７８１が取り付けられている。
農作業者が操作ロッド７８を上下に移動させて指針７８１を目盛り７１１に合わせたとき、目盛り７１１で表示された高さ位置に内筒７７の上端面の高さが設定されるようになっている。
【００３０】
以上の構成からなる給水弁７Ａ、水位設定器７Ｂ及び排水弁７Ｂは、各耕作区に設置され、田面水位は耕作区４２ごとに設定される。通常、一区画の水田４は各耕作区４２が同じ高さとなるように平坦に整地されているが、地形の具合によっては各耕作区４２ごとに若干の高低差が生じることがある。そこで、各耕作区４２に設置されている水位設定器７Ｂの操作ロッド８を上下に移動させ、その内筒７７の上端面の高さ位置を各耕作区４２ごとに一定となるように調整する。
【００３１】
また、各耕作区４２に設置されている給水弁７Ａは、その内筒７７の上端面が水位設定器７Ｂの内筒７７の上端面よりも高い位置に設定され、排水弁７Ｃの内筒７７の上端面は、水位設定器７Ｂの内筒７７の上端面より若干高い位置に設定される。
【００３２】
次に、給水パイプ６Ａと、水位調整パイプ６Ｂと、排水パイプ６Ｃの三本のパイプを埋設した場合に、用水が本システムの装置内を流れて管理される態様について説明する。先ず、給水パイプ６Ａから給水弁７Ａに流入した用水は、給水弁７Ａの内筒７７の上端をオーバーフローして分岐管７２から耕作区４２に供給される。また、給水弁７Ａと水位設定器７Ｂとはパイプ７９を介して連通しているため、上流側の水位調整パイプ６Ｂから水位調器７Ｂに流入した用水は給水弁７Ａの分岐部７２から耕作区４２に供給される。耕作区４２への用水の供給は田面水位が上昇して水位設定器７Ｂの内筒７７の上端面と同じ高さに達するまで継続して行われる。
【００３３】
田面水位が水位設定器７Ｂの内筒７７の上端面より高くなると、余剰の用水は水位設定器７Ｂの内筒７７より筒内に流入し、下流側の水位調整パイプ６Ｂに送水されるため、耕作区４２の田面水位が一定に維持される。
上流側の耕作区４２の田面水位が一定に維持されると、余剰の用水は下流側の耕作区４２に供給され、同様にして田面水位が一定に維持される。このとき、排水弁７Ｃの内筒７７の上端面は、田面水位よりも高い位置にあるので、用水はこの排水弁７Ｃから排出されない。
【００３４】
この様な用水管理を行うと、各耕作区４２への用水の供給量が少なくなるため、上流側の耕作区４２から下流側の耕作区４２に亘って万遍なく用水を供給できるようになり、下流側の耕作区４２で水不足が発生することがなくなる。
また、各耕作区４２に施用された農薬や肥料等が用水と共に外部に流出する量も少なくなるので、環境破壊の問題を招来する虞もない。
【００３５】
本発明では、給水パイプ６Ａや水位設定パイプ６Ｂを流れる用水が少量となるため、小径のパイプが使用できる。また、各パイプ６Ａ、６Ｂ、６Ｃに大きな勾配を付けなくてもある程度の流速が確保できるため、パイプの敷設工事が簡単かつ容易となり、工事費を大幅に削減することができる。
しかも、従来の平坦地灌漑では、用水を圧送するためのポンプが必要であったが本発明では不要となり、用水を超低圧で送水することが可能となる。
【００３６】
長雨や集中豪雨によって、各耕作区４２の田面水位が上昇したとき、各排水弁７Ｃの分岐部７２ｃから流入した雨水は内筒７７の上端をオーバーフローして筒内に流入し、速やかに排水パイプ５Ｃから排出される。このため、田面水位は常に一定に維持される。
【００３７】
また、一部の耕作区４２に貯留されている用水を排出する場合には、前記ゲートバルブ８とバルブ７９Ｖを閉じ、耕作区４２への用水の供給を遮断する。そして、排水弁７Ｃの内筒７７を最も低い位置まで下げることによって、用水を排出することができる。
【００３８】
給水パイプ６Ａや水位調整パイプ６Ｂには、用水や雨水と共に土砂等が侵入して堆積することがある。この場合には、図２に示した如く、給水パイプ６Ａと排水パイプ６Ｃを接続するパイプ９１に設けられたバルブ９１Ｖや、水位調整パイプ６Ｂと排水パイプ６Ｃを接続するパイプ９２に設けられたバルブ９２Ｖを開放することによって、パイプ６Ａ、６Ｂ内に堆積している土砂等を排水パイプ６Ｃに排出することができる。
【００３９】
一方、水田に大量の用水を必要とする代掻き時には、給水弁７Ａの内筒７７を平常時よりも下方に押し下げる。
これによって、給水パイプ６Ａから送水された用水は内筒７７の上端を勢いよくオーバーフローして耕作区４２に供給され、所定の水位に達する。この操作をくり返して、上流側の耕作区４２から下流側の耕作区４２に亘って、順次用水を供給することができる。
【００４０】
尚、本発明の実施態様の一例を示す図１には、水田４の長手方向に沿って延びる各耕作区４２の相対する両側に給水弁７Ａ、水位設定器７Ｂ、及び排出弁７Ｃを設置したものを例示したが、本発明はこの態様に限定されない。
耕作区４２の両側に給水弁７Ａ、水位設定器７Ｂ、及び排出弁７Ｃを設置した場合には、耕作区４２の全体に亘ってきめ細かな用水管理が行えるという利点があるが、耕作区４２の面積がそれ程広くない場合には、耕作区４２の片側のみに給水弁７Ａ水位設定器７Ｂ、及び排水弁７Ｃを設置するだけでも、十分な用水管理が可能である。
【００４１】
また、前記実施例では、給水弁７Ａの分岐部７２ａと水位設定器７Ｂとをパイプ７９で接続したものを例示したが、図９に示した如く、給水弁７Ａの分岐部７２にパイプ７９を接続して分岐部７２ａをなくしてもよい。
場合によっては図１０に示した如く、給水弁７Ａの分岐部７２の端部を閉塞すると共に、給水弁７Ａの分岐部７２と排水弁７Ｃの分岐部７２ｃとをパイプ９３で接続してもよい。
【００４２】
更には、曲管継手６１に設けられたゲートバルブ８、給水弁７Ａと水位設定器７Ｂとを接続するパイプ７９に設けられたバルブ７９Ｖ、土砂等を排出するためにバイパスパイプ９１、９２に設けられたバルブ９１Ｖ、９２Ｖ等は、コンピューター等を使用して自動的に制御するようにしてもよい。
【００４３】
本発明の他の実施態様として、給水パイプ６Ａと水位設定パイプ６Ｂとの二本のパイプを、或いは給水パイプ６Ａと排水パイプ６Ｃとの二本のパイプを耕作区４２の一側面に埋設した場合につき説明する。まず、前者の例では、図２及び９に示す如く、給水パイプ６Ａから給水弁７Ａに流入した用水は、当該給水弁７Ａの分岐部７２から耕作区４２に供給される。そして田面水位が上昇して水位設定器７Ｂの内筒７７の上面より高くなると、余剰の用水はパイプ７９を介して水位設定器７Ｂの内筒７７より筒内に流入し、下流側の水位調整パイプ６Ｂに送水されるため、耕作区４２の田面水位が一定に維持される。
【００４４】
また、後者の例では、例えば図１０に示す如く、給水パイプ６Ａから給水弁７Ａに流入した用水は、当該給水弁７Ａの分岐部７２から排水弁７Ｃの分岐部７２ｃを介して耕作区４２に供給される。
そして田面水位が上昇して排水弁７Ｃの内筒７７の上面より高くなると、余剰の用水は排水弁７Ｃの内筒７７より筒内に流入し、排水パイプ６Ｃに送水されるため、耕作区４２の田面水位が一定に維持される。
【００４５】
【発明の効果】
本発明の水田の管理システムは、水田の周囲に沿って設けられた農道に給水パイプ、排水パイプ、排水パイプが隣接して埋設されるので、水田の耕作区、農道のスペースを拡大することができ、農地を有効利用することができる。
【００４６】
各耕作区には給水パイプから用水が供給される供給弁と、各耕作区の水面を一定に維持するための水位設定器と、各耕作区に供給された余剰の用水や雨水を排水パイプに排出する排水弁が設置されているので、各耕作区ごとに田面水位を一定に維持して効率的な用水管理が行える。
【００４７】
また、本発明では、各耕作区に供給された用水が余剰水として排出されるのを最小限に押さえる用水管理を行うことができるので、各耕作区に施用した農薬や肥料等が用水と共に流出して環境破壊の問題を招来することもない。
【００４８】
更に、本発明の水田の管理システムを最適条件に設定するために各機器を操作する際に、耕作区の一側面に給水パイプと水位調整パイプ、或いは給水パイプと排水パイプが埋設されており、またこれらのパイプに付設されている給水弁、水位設定器及び排水弁を適宜操作することによって集中操作ができる。
【００４９】
本発明では、従来の平坦地灌漑で行われていたような、ポンプによる用水の輸送手段も不要となり、パイプの勾配を大きく取らなくても流速が確保できるため、パイプ敷設工事を簡単かつ容易に行え、工事費を大幅に削減することができる。
【図面の簡単な説明】
【図１】本発明の用水管理システムの実施の一例を示す水田の概略平面図。
【図２】一区画の耕作区の用水管理に用いられる給水弁と、水位設定器と、排水弁の配管概略図。
【図３】本発明の用水管理システムで使用される給水弁の断面図。
【図４】給水弁の部分正面図。
【図５】図３に示した給水弁の要部拡大断面図。
【図６】本発明の用水管理システムで使用される水位設定器の断面図。
【図７】水位調整パイプの配管概略図。
【図８】本発明の用水管理システムで使用される排水弁の断面図。
【図９】本発明の他の実施例を示す配管概略図。
【図１０】更に本発明の他の実施例を示す配管概略図。
【図１１】従来の水田構造の一例を示す概略平面図。
【図１２】従来の給水路の斜視図。
【符号の説明】
４            水田
４１          畦畔
４２          耕作区
５            農道
５１          傾斜面
６Ａ          給水パイプ
６Ｂ          水位調整パイプ
６Ｃ          排水パイプ
７Ａ          給水弁
７Ｂ          水位設定器
７Ｃ          排水弁
【図１】
0003870245.tif 000002
【図２】
0003870245.tif 000003
【図３】
0003870245.tif 000004
【図４】
0003870245.tif 000005
【図５】
0003870245.tif 000006
【図６】
0003870245.tif 000007
【図７】
0003870245.tif 000008
【図８】
0003870245.tif 000009
【図９】
0003870245.tif 000010
【図１０】
0003870245.tif 000011
【図１１】
0003870245.tif 000012
【図１２】
0003870245.tif 000013